(57)【要約】【課題】表示装置から出力される画像処理適用後の映像信号を用いて複数の映像の並列表示を行った場合の、映像間の表示タイミングのズレを抑制するための技術を提供する。【解決手段】表示装置が、入力映像信号を受信する第一の映像受信部と、前記第一の映像受信部で受信された前記入力映像信号に基づく映像データに対し画像処理を適用する第一の画像処理部と、前記第一の画像処理部により前記画像処理が適用された前記映像データに基づく出力映像信号を外部機器へ送信する映像送信部と、映像データに基づく画像を表示可能な表示部と、前記第一の画像処理部により前記画像処理が適用された前記映像データに基づく画像を前記表示部に表示させる場合に、前記画像処理が適用された前記映像データに基づく画像の表示を遅延させる遅延処理部と、を有する。【選択図】図１
2019062364.tif 000002
【特許請求の範囲】
【請求項１】
入力映像信号を受信する第一の映像受信部と、
前記第一の映像受信部で受信された前記入力映像信号に基づく映像データに対し画像処理を適用する第一の画像処理部と、
前記第一の画像処理部により前記画像処理が適用された前記映像データに基づく出力映像信号を外部機器へ送信する映像送信部と、
映像データに基づく画像を表示可能な表示部と、
前記第一の画像処理部により前記画像処理が適用された前記映像データに基づく画像を前記表示部に表示させる場合に、前記画像処理が適用された前記映像データに基づく画像の表示を遅延させる遅延処理部と、
を有することを特徴とする表示装置。
【請求項２】
前記遅延処理部は、前記第一の画像処理部により適用された前記画像処理の処理時間に基づいて遅延量を決定する
ことを特徴とする請求項１に記載の表示装置。
【請求項３】
前記入力映像信号とは異なる第二の入力映像信号を受信する第二の映像受信部と、
前記第二の映像受信部で受信された前記第二の入力映像信号に基づく映像データに対し画像処理を適用する第二の画像処理部と、をさらに有し、
前記遅延処理部は、前記第二の画像処理部により適用された前記画像処理の処理時間に基づいて遅延量を決定する
ことを特徴とする請求項１に記載の表示装置。
【請求項４】
前記遅延処理部は、前記画像処理が適用された前記映像データに基づく画像の表示を所定の遅延量だけ遅延させる
ことを特徴とする請求項１に記載の表示装置。
【請求項５】
前記入力映像信号とは異なる第二の入力映像信号を受信する第二の映像受信部と、
前記第二の映像受信部で受信された前記第二の入力映像信号に基づく映像データに対し画像処理を適用する第二の画像処理部と、をさらに有し、
前記第二の画像処理部が、前記第一の画像処理部により前記画像処理が適用された前記映像データに対し所定の画像処理を適用する処理を行うことによって、前記遅延処理部として機能する
ことを特徴とする請求項１〜４のいずれか１項に記載の表示装置。
【請求項６】
前記所定の画像処理は、前記映像データを変化させない処理である
ことを特徴とする請求項５に記載の表示装置。
【請求項７】
前記第二の画像処理部により前記画像処理が適用された前記映像データに基づく第二の出力映像信号を外部機器へ送信する第二の映像送信部をさらに有し、
前記第二の画像処理部が前記遅延処理部として機能している場合は、前記第二の映像送信部は前記第二の出力映像信号の送信を行わない
ことを特徴とする請求項５または６に記載の表示装置。
【請求項８】
前記遅延処理部は、前記映像送信部から前記出力映像信号が送信されている場合は遅延処理を行い、前記映像送信部から前記出力映像信号が送信されていない場合は遅延処理を行わない
ことを特徴とする請求項１〜７のいずれか１項に記載の表示装置。
【請求項９】
前記映像送信部は、前記第一の映像受信部で受信された前記入力映像信号を出力映像信号として外部機器へ送信するスルーアウト機能を実行可能であり、
前記遅延処理部は、前記映像送信部によりスルーアウト機能が実行される場合は遅延処理を行わない
ことを特徴とする請求項１〜８のいずれか１項に記載の表示装置。
【請求項１０】
前記入力映像信号とは異なる第二の入力映像信号を受信する第二の映像受信部と、
前記第二の映像受信部で受信された前記第二の入力映像信号に基づく映像データに対し画像処理を適用する第二の画像処理部と、をさらに有し、
前記遅延処理部は、前記第二の映像受信部で受信された前記第二の入力映像信号が前記映像送信部から送信された前記出力映像信号と同じ信号である場合に、遅延処理を行う
ことを特徴とする請求項１に記載の表示装置。
【請求項１１】
前記第二の映像受信部で受信された前記第二の入力映像信号が前記映像送信部から送信された前記出力映像信号と同じ信号であることを検知する検知部をさらに有する
ことを特徴とする請求項１０に記載の表示装置。
【請求項１２】
前記検知部は、前記第二の映像受信部で受信された前記第二の入力映像信号に付加された情報と、前記映像送信部から送信された前記出力映像信号に付加された情報とが一致する場合に、前記第二の入力映像信号が前記出力映像信号と同じ信号であると判断する
ことを特徴とする請求項１１に記載の表示装置。
【請求項１３】
前記検知部は、前記第二の映像受信部で受信された前記第二の入力映像信号に特定のデータが付加されている場合に、前記第二の入力映像信号が前記出力映像信号と同じ信号であると判断する
ことを特徴とする請求項１１に記載の表示装置。
【請求項１４】
前記特定のデータは、前記表示装置を特定するデータである
ことを特徴とする請求項１３に記載の表示装置。
【請求項１５】
前記検知部は、前記第二の映像受信部で受信された前記第二の入力映像信号に基づく映像に特定のテストパターンが含まれている場合に、前記第二の入力映像信号が前記出力映像信号と同じ信号であると判断する
ことを特徴とする請求項１１に記載の表示装置。
【請求項１６】
前記映像送信部は、前記第一の映像受信部で受信された前記入力映像信号を出力映像信号として外部機器へ送信するスルーアウト機能を実行可能であり、
前記遅延処理部は、
前記第一の画像処理部による画像処理に比べて前記第二の画像処理部による画像処理の処理時間が長い場合は、前記第一の画像処理部により画像処理が適用された映像データに対して遅延処理を行い、
前記第二の画像処理部による画像処理に比べて前記第一の画像処理部による画像処理の処理時間が長い場合は、前記第二の画像処理部により画像処理が適用された映像データに対して遅延処理を行う
ことを特徴とする請求項１０〜１５のいずれか１項に記載の表示装置。
【請求項１７】
第一の映像受信部により、入力映像信号を受信するステップと、
第一の画像処理部により、前記第一の映像受信部で受信された前記入力映像信号に基づく映像データに対し画像処理を適用するステップと、
前記第一の画像処理部により前記画像処理が適用された前記映像データに基づく出力映
像信号を外部機器へ送信するステップと、
映像データに基づく画像を表示部に表示するステップと、
前記第一の画像処理部により前記画像処理が適用された前記映像データに基づく画像を前記表示部に表示させる場合に、前記画像処理が適用された前記映像データに基づく画像の表示を遅延させるステップと、
を有することを特徴とする表示装置の制御方法。
【発明の詳細な説明】
【技術分野】
【０００１】
本発明は、映像信号を表示する表示装置及びその制御方法に関するものである。
【背景技術】
【０００２】
映像制作の現場では、複数の表示装置に同一の映像信号を入力し、同時に表示を行うことで映像の確認が行われることがある。この際、入力端子で受信した映像信号をそのまま出力端子から送信するスルーアウト機能を用いることで、表示装置間はデイジーチェーン接続と呼ばれる方法により接続されている。また、デイジーチェーン接続の先頭にＬＵＴ（Ｌｏｏｋ  Ｕｐ  Ｔａｂｌｅ）処理機能を持つ外部機器を挿入することで、同一のＬＵＴ処理を適用した映像を複数の表示装置に表示することも行われる。ＬＵＴ処理とは、入力された色データを対応表に基づいて別の色データに変換する処理のことである。デイジーチェーン接続の一例を図１８に示す。この例では、ＬＵＴ処理機能を持つ外部機器１８００の出力が表示装置１８０１に入力され、表示装置１８０１の出力が後段の表示装置１８０２に入力されており、２台の表示装置１８０１、１８０２により同一の映像信号が表示される。
【０００３】
特許文献１には、映像コントローラに複数の表示装置をデイジーチェーン接続したマルチディスプレイシステムが開示されている。このシステムでは、映像コントローラが接続情報に基づいて各表示装置の再生タイミングを補正することで、映像間の表示タイミングを調整している。
【先行技術文献】
【特許文献】
【０００４】
【特許文献１】特開２０１２−１２４７５９号公報
【発明の概要】
【発明が解決しようとする課題】
【０００５】
近年、スルーアウト機能（入力された映像信号をそのまま出力する機能）の他に、内部でＬＵＴ処理などの画像処理を適用した後の映像信号を外部に送信する機能をもつ表示装置が登場してきた。この機能を用いることで、表示装置とは別に、画像処理のための外部機器を用意する必要がなくなる。また、上流側の表示装置にて画像処理を適用した映像を、後段に接続されている複数の表示装置に供給することができる。
【０００６】
しかしながら、画像処理適用後の映像信号を送信する場合には、複数の表示装置の間の映像の遅延（表示タイミングのズレ）が顕著となることが懸念される。図１８の例で説明する。表示装置１８０１に入力された映像信号をスルーアウト機能により表示装置１８０２へと出力する場合、２つの表示装置１８０１、１８０２へは映像信号が実質的に同じタイミングで入力される。したがって、各表示装置１８０１、１８０２が入力映像信号に個別に画像処理を適用したとしても、（画像処理に必要な時間は大きく異ならないため）２つの表示装置１８０１、１８０２の間の表示タイミングはほとんどずれない。一方、表示装置１８０１が画像処理適用後の映像信号を表示装置１８０２へと出力する場合、表示装置１８０２の入力映像信号は表示装置１８０１の入力映像信号に比べて、表示装置１８０１における画像処理の時間分だけ遅延している。また、表示装置１８０２側でも画像処理が適用されるため、表示装置１８０１と１８０２の処理時間の差も遅延に影響を与える。このような理由から、表示装置１８０２の映像が表示装置１８０１の映像に比べて遅れて表示されることとなり、特に動画像の表示においては問題となる。
【０００７】
ところで、複数の入力端子からそれぞれ入力された映像信号に基づき、画面上に複数の映像を並べて表示する機能（マルチ画面表示）を有する表示装置が存在する。そのような表示装置においては、出力端子から出力される映像信号を自機の入力端子にループバックさせて、画面上に同一の映像を比較表示させる、という使い方がされることがある。このようなケースでも、スルーアウト信号をループバックさせるのであれば２つの映像の表示タイミングはほとんどずれないが、画像処理適用後の映像信号を出力しループバックさせた場合には、表示タイミングのズレが問題になる。
【０００８】
本発明は上記実情に鑑みなされたものであって、表示装置から出力される画像処理適用後の映像信号を用いて複数の映像の並列表示を行った場合の、映像間の表示タイミングのズレを抑制するための技術を提供することを目的とする。
【課題を解決するための手段】
【０００９】
本発明は、入力映像信号を受信する第一の映像受信部と、前記第一の映像受信部で受信された前記入力映像信号に基づく映像データに対し画像処理を適用する第一の画像処理部と、前記第一の画像処理部により前記画像処理が適用された前記映像データに基づく出力映像信号を外部機器へ送信する映像送信部と、映像データに基づく画像を表示可能な表示部と、前記第一の画像処理部により前記画像処理が適用された前記映像データに基づく画像を前記表示部に表示させる場合に、前記画像処理が適用された前記映像データに基づく画像の表示を遅延させる遅延処理部と、を有することを特徴とする表示装置を提供する。
【発明の効果】
【００１０】
本発明によれば、表示装置から出力される画像処理適用後の映像信号を用いて複数の映像の並列表示を行った場合の、映像間の表示タイミングのズレを抑制することができる。
【図面の簡単な説明】
【００１１】
【図１】本発明の実施例１に係る表示装置の構成を示すブロック図である。
【図２】本発明の実施例１に係る表示装置の処理を示すフローチャートである。
【図３】本発明の実施例２に係る表示装置の構成を示すブロック図である。
【図４】本発明の実施例２に係る表示装置の処理を示すフローチャートである。
【図５】本発明の実施例３に係る表示装置の構成を示すブロック図である。
【図６】本発明の実施例３に係る表示装置の処理を示すフローチャートである。
【図７】本発明の実施例４に係る表示装置の構成を示すブロック図である。
【図８】本発明の実施例４に係る外部機器の機器情報を示したテーブルである。
【図９】本発明の実施例４に係る表示装置の処理を示すフローチャートである。
【図１０】本発明の実施例５に係る表示装置の構成を示すブロック図である。
【図１１】本発明の実施例５に係る自機の機器情報を示したテーブルである。
【図１２】本発明の実施例５に係る表示装置の処理を示すフローチャートである。
【図１３】本発明の実施例６に係る表示装置の構成を示すブロック図である。
【図１４】本発明の実施例６に係る表示装置の処理を示すフローチャートである。
【図１５】本発明の実施例７に係る表示装置の構成を示すブロック図である。
【図１６】本発明の実施例７に係る自機の機器情報を示したテーブルである。
【図１７】本発明の実施例７に係る表示装置の処理を示すフローチャートである。
【図１８】複数の表示装置をデイジーチェーン接続した例を示す図である。
【発明を実施するための形態】
【００１２】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【００１３】
＜実施例１＞
以下、本発明における表示装置の実施例１について図面を用いて説明する。
図１は、実施例１における表示装置１００の主要な構成要素を示すブロック図である。
【００１４】
表示装置１００は、複数系統（本実施例では２系統）の映像入力回路を有する。第一の映像入力回路は、映像受信部１０１ａ、映像生成部１０２ａ、画像処理部１０３ａから構成され、第二の映像入力回路は、映像受信部１０１ｂ、映像生成部１０２ｂ、画像処理部１０３ｂから構成される。また、表示装置１００は、映像信号生成部１０４と映像送信部１０５からなる第一の映像出力回路を有する。さらに表示装置１００は、映像遅延判断部１０６、処理時間算出部１０７、映像選択部１０８、表示部１０９を備える。
【００１５】
まず、図１のブロック図を用いて、実施例１における表示装置１００の動作について説明する。
映像受信部１０１ａは、ＳＤＩ（Ｓｅｒｉａｌ  Ｄｉｇｉｔａｌ  Ｉｎｔｅｒｆａｃｅ）規格に準じた入力映像信号を外部機器から受信し、映像生成部１０２ａに出力する。映像生成部１０２ａは、映像受信部１０１ａからの入力映像信号を基に映像データを生成し、画像処理部１０３ａに出力する。画像処理部１０３ａは、映像生成部１０２ａにて生成された映像データに対して画像処理を適用し、映像信号生成部１０４、映像遅延判断部１０６、映像選択部１０８に出力する。また、画像処理部１０３ａは、映像データに適用した画像処理に関する情報（「画像処理情報」と呼ぶ）を処理時間算出部１０７に通知する。以後、映像受信部１０１ａで受信した入力映像信号を「第一の入力映像信号」、映像生成部１０２ａから出力される映像データを「第一の映像データ」、画像処理部１０３ａにより適用される画像処理を「第一の画像処理」とも称す。
【００１６】
画像処理部１０３ａの画像処理の一例として、ＬＵＴ処理やピーキング処理がある。ピーキング処理は、画像の輪郭部分にあたる領域を着色する機能であり、カメラで撮影された画像のピント確認等に用いられる。上述した画像処理は一例であり、本発明の範囲はこれに限定されることはない。画像処理情報は、画像処理部１０３ａによって実行された画像処理を特定できる情報であれば、どのような形式の情報でもよい。例えば、画像処理を特定する識別子（処理名称やＩＤなど）のリストを画像処理情報としてもよい。この方法は一例であり、後段の処理時間算出部１０７が画像処理部１０３ａの処理時間を算出（推定）するのに参考となる情報であれば、どのような情報を画像処理情報として用いてもよい。
【００１７】
映像信号生成部１０４は、画像処理部１０３ａにて画像処理を適用した第一の映像データにアンシラリ情報を付加して、ＳＤＩ規格に準じた第一の出力映像信号を生成し、映像送信部１０５に出力する。映像送信部１０５は、映像信号生成部１０４にて生成されたＳＤＩ規格に準じた第一の出力映像信号を、外部機器へと送信する。また、映像送信部１０５は、第一の出力映像信号を外部機器へ送信している場合、映像遅延判断部１０６に出力確認通知を出力する。出力確認通知とは、映像送信部１０５から外部機器に映像信号の送信が行われていること、言い換えると、映像送信部１０５から出力された映像信号が外部機器により受信されていること、を示す情報である。映像信号の外部機器への送信を判断する方法の一例として、映像信号の出力振幅を検知する方法がある。外部機器の映像信号受信部によりＳＤＩ映像信号の伝送路が終端されている状態と、終端されていない状態とで映像信号の出力振幅が異なる。したがって、映像信号の出力振幅から、ＳＤＩ映像信号の伝送路が実際に外部機器に接続されているか否かを検知することができる。上述した方
法は一例であり、本発明の範囲はこれに限定されることはない。
【００１８】
映像受信部１０１ｂは、ＳＤＩ規格に準じた入力映像信号を外部機器から受信し、映像生成部１０２ｂに出力する。映像受信部１０１ｂは、入力映像信号を受信している場合、映像遅延判断部１０６に入力確認通知を出力する。入力確認通知とは、映像受信部１０１ｂに対し映像信号が入力されていること、を示す情報である。映像信号の受信を判断する方法の一例として、ＳＤＩ映像信号の規格通りの入力がされているかを確認する方法がある。上述した方法は一例であり、本発明の範囲はこれに限定されることはない。
【００１９】
映像生成部１０２ｂは、映像受信部１０１ｂからの入力映像信号を基に、映像データを生成し、画像処理部１０３ｂに出力する。画像処理部１０３ｂは、映像生成部１０２ｂにて生成された映像データに対して画像処理を適用し、映像選択部１０８に出力する。以後、映像受信部１０１ｂで受信した入力映像信号を「第二の入力映像信号」、映像生成部１０２ｂから出力される映像データを「第二の映像データ」、画像処理部１０３ｂにより適用される画像処理を「第二の画像処理」とも称す。
【００２０】
本実施例の表示装置１００は、上述のように２系統の映像入力回路を有しており、各映像入力回路から出力される第一の映像データ、第二の映像データは映像選択部１０８に入力される。映像選択部１０８は、第一の映像データと第二の映像データのうちのいずれか一方を選択して表示部１０９に出力するか、２画面表示の場合は両方の映像データを表示部１０９に出力する。選択する映像データは、自動で決定されてもよいし（例えば、映像データの入力があった方を選択するなど）、ユーザ操作により決定されてもよい。表示部１０９は、映像選択部１０８によって選択された映像データに基づく画像を表示可能なデバイスである。表示部１０９は、液晶ディスプレイでもよいし、有機ＥＬディスプレイでもよいし、それ以外の方式のディスプレイでもよい。
【００２１】
前述したように、複数の表示装置をデイジーチェーン接続して、同じ映像を複数の表示装置に表示するようなケースでは、上流側の表示装置と下流側の表示装置とのあいだの映像遅延が問題となる。そこで、本実施例の表示装置１００は、画像処理部１０３ａで画像処理した第一の映像データを映像送信部１０５から外部機器に送信する場合に、第一の映像データの表示部１０９での表示を遅延させる、遅延処理機能を有する。この遅延処理機能に関わる構成が、映像遅延判断部１０６と処理時間算出部１０７である。また本実施例では、第二の映像入力回路の画像処理部１０３ｂを、第一の映像データを遅延させる遅延回路として利用する。
【００２２】
映像遅延判断部１０６は、画像処理部１０３ａにより画像処理が適用された第一の映像データの表示を遅延させるか否かを判断する。本実施例の映像遅延判断部１０６は、第一の映像データが映像送信部１０５を介して外部機器に出力されている場合、つまり、第一の映像データが他の表示装置でも同時に表示されている蓋然性が高い場合に、第一の映像データの表示を遅延させる制御を行う。具体的には、映像遅延判断部１０６は、映像送信部１０５から出力確認通知があり、映像受信部１０１ｂから入力確認通知がない場合に、画像処理部１０３ａからの第一の映像データを画像処理部１０３ｂに入力し、映像遅延通知を映像選択部１０８に送る。映像遅延通知は、画像処理部１０３ａから出力される第一の映像データの遅延処理を行う旨を知らせる情報である。映像選択部１０８は、映像遅延判断部１０６から映像遅延通知を受信した場合、画像処理部１０３ａから出力される第一の映像データの代わりに、画像処理部１０３ｂにより遅延処理が行われた第一の映像データを選択する。
【００２３】
処理時間算出部１０７は、画像処理部１０３ａから通知された画像処理情報に基づいて第一の映像データに適用された第一の画像処理の処理時間を算出し、画像処理部１０３ｂ
に算出結果を通知する。処理時間の算出方法の一例として、画像処理部１０３ａで実行可能な画像処理ごとに必要な処理時間をあらかじめメモリに記憶しておき、第一の映像データに実際に適用された画像処理に応じて処理時間を計算する方法がある。あるいは、画像処理部１０３ａにおいて実際に画像処理を適用するのにかかった時間を計測する方法、適用した画像処理と処理時間をリスト化する方法などがある。上述した方法は一例であり、本発明の範囲はこれに限定されることはない。
【００２４】
画像処理部１０３ｂは、映像遅延判断部１０６から第一の映像データが入力された場合、遅延処理部（遅延回路）として機能する。すなわち、画像処理部１０３ｂは、入力された第一の映像データに対して第二の画像処理を適用し、画像処理後の第一の映像データを映像選択部１０８に出力する。このとき適用される第二の画像処理は、処理時間算出部１０７にて算出した第一の画像処理の処理時間と同じ又は略同じ処理時間の画像処理であるとよい。例えば、第二の画像処理は、画像処理情報にリストされた画像処理と同じ種類の画像であるとよい。またこの場合に、第二の画像処理で用いる画像処理パラメータは、入力値と出力値が同じか又は実質的に変化しないように設定されたパラメータであるとよい。このような第二の画像処理を通すことで、第一の画像処理に相当する時間分、第一の映像データの表示が遅延する。
【００２５】
本実施例では、画像処理部１０３ｂを第一の映像データの遅延処理に用いており、その際の遅延量は、処理時間算出部１０７で算出された画像処理部１０３ａでの第一の画像処理の処理時間相当分としている。これは、表示装置１００の後段に接続される別の表示装置でも画像処理部１０３ａで適用した画像処理と同等の画像処理を適用することを予想し、画像処理部１０３ａでの処理時間と同等の遅延処理を適用するためである。
【００２６】
なお、上述した方法は一例である。第一の画像処理の処理時間が一定もしくは略一定であれば、遅延量は所定値（固定値）であってもよい（この場合、処理時間算出部１０７の構成は不要である）。また、画像処理部１０３ｂによって遅延処理を行うのではなく、専用の遅延処理部（遅延回路など）を設けてもよい。その場合は、画像処理部１０３ａと映像選択部１０８のあいだに遅延処理部を配置し、映像送信部１０５から出力確認通知があったら、遅延処理を実行するように制御すればよい。
【００２７】
（表示装置の動作）
次に、図２のフローチャートを用いて本実施例における表示装置１００の処理概要を説明する。なお、図示の便宜から、フローチャートでは「第一の映像データ」「第二の映像データ」をそれぞれ「第一の映像」「第二の映像」と記す。
【００２８】
映像受信部１０１ａは、外部機器からＳＤＩ規格に準じた第一の入力映像信号を受信する（ステップＳ２００；Ｙｅｓ）。映像生成部１０２ａは、第一の入力映像信号から第一の映像データを生成する（ステップＳ２０１）。画像処理部１０３ａは、第一の映像データに第一の画像処理を適用し、画像処理後の第一の映像データを出力する（ステップＳ２０２）。
処理時間算出部１０７は、第一の映像データに適用された第一の画像処理の処理時間を算出する（ステップＳ２０３）。
【００２９】
映像信号生成部１０４は、画像処理部１０３ａから出力された第一の映像データからＳＤＩ規格に準じた第一の出力映像信号を生成する（ステップＳ２０４）。表示装置１００の映像出力端子に外部機器（他の表示装置など）が接続されている場合、映像送信部１０５から第一の出力映像信号が出力され、出力確認通知が映像遅延判断部１０６に送られる。
映像遅延判断部１０６は、第一の出力映像信号が外部機器へ送信されているか（ステッ
プＳ２０５）、及び、映像受信部１０１ｂが第二の入力映像信号を受信しているか（ステップＳ２０６、Ｓ２１５）を確認する。
【００３０】
映像受信部１０１ｂが第二の入力映像信号を受信している場合（ステップＳ２０６；Ｙｅｓ、ステップＳ２１５；Ｙｅｓ）、映像生成部１０２ｂは、第二の入力映像信号から映像データを生成する（ステップＳ２０７）。画像処理部１０３ｂは、第二の入力映像信号から生成された映像データに画像処理を適用し、第二の映像データを出力する（ステップＳ２０８）。映像選択部１０８は、第一の映像データと第二の映像データの両方を画面に表示する映像データとして選択する（ステップＳ２０９）。表示部１０９は、第一の映像データと第二の映像データを合成した２画面の映像を表示する（ステップＳ２１０）。
【００３１】
第一の出力映像信号が外部機器へ送信され（ステップＳ２０５；Ｙｅｓ）、かつ、映像受信部１０１ｂが第二の入力映像信号を受信していない場合（ステップＳ２０６；Ｎｏ）、第一の映像データの遅延処理を実行する。すなわち、映像遅延判断部１０６が、画像処理部１０３ａから出力された第一の映像データを画像処理部１０３ｂに入力する（ステップＳ２１１）。画像処理部１０３ｂは、ステップＳ２０３で処理時間算出部１０７にて算出された処理時間と同等の処理時間の第二の画像処理を第一の映像データに適用する（ステップＳ２１２）。第二の画像処理が適用された第一の映像データは、画像処理部１０３ｂから第二の映像データとして映像選択部１０８へ出力される。映像選択部１０８は、第二の映像データを画面に表示する映像として選択する（ステップＳ２１３）。表示部１０９は、第二の映像データに基づく映像を画面に表示する（ステップＳ２１４）。以上により、第一の映像データの表示の遅延処理が実現される。
【００３２】
第一の出力映像信号が外部機器へ送信されておらず（ステップＳ２０５；Ｎｏ）、かつ、映像受信部１０１ｂが第二の入力映像信号を受信していない場合（ステップＳ２１５；Ｎｏ）、映像選択部１０８は第一の映像データを選択する（ステップＳ２１６）。表示部１０９は、第一の映像データに基づく映像を画面に表示する（ステップＳ２１７）。
【００３３】
ステップＳ２００において第一の入力映像信号が受信されていなかった場合は、ステップＳ２１８に移行する。映像受信部１０１ｂが第二の入力映像信号を受信していれば（ステップＳ２１８；Ｙｅｓ）、映像生成部１０２ｂが第二の入力映像信号から映像データを生成する（ステップＳ２１９）。そして、画像処理部１０３ｂが第二の画像処理を適用した第二の映像データを生成して（ステップＳ２２０）、ステップＳ２１３に進む。一方、映像受信部１０１ｂが第二の入力映像信号を受信していなかったら（ステップＳ２１８；Ｎｏ）、表示部１０９は映像を画面に表示しない（ステップＳ２２１）。
【００３４】
以上述べた本実施例の構成によれば、画像処理部１０３ａから出力される映像データを外部機器に送信している場合に、当該映像データの表示を遅延させる。したがって、外部機器が当該映像データの処理にある程度の時間を要したとしても、本表示装置１００と外部機器の間の表示タイミングのズレを小さくすることができる。
【００３５】
本実施例では、画像処理部１０３ａで適用した画像処理の処理時間相当分を遅延量に設定している。したがって、例えば、同じ機種、あるいは、同じ画像処理性能をもつ、複数の表示装置をデイジーチェーン接続したような場合に、複数の表示装置の間の表示をほぼ同期させることができる。
【００３６】
また本実施例では、別系統の映像入力回路が使われていないとき（第二の入力映像信号が無い場合に）、空き状態の画像処理部１０３ｂを遅延処理部として利用している。したがって、専用の遅延処理部を設ける構成に比べて、装置の小型化、及び、コストダウンを図ることができる。
【００３７】
＜実施例２＞
（表示装置の構成）
以下、本発明における表示装置の実施例２について図面を用いて説明する。実施例１の表示装置は、画像処理後の映像信号を出力する機能しかもたなかったのに対し、実施例２の表示装置は、画像処理後の映像信号を出力するモードと、画像処理前の映像信号をそのまま出力するモード（スルーアウト機能）とを選択可能である。本実施例では、画像処理後の映像信号を出力するモードが選択されている場合に、実施例１と同じ遅延制御が行われる。以下では、実施例１の説明と同じ所は説明を省略し、差違のみを説明する。
【００３８】
図３は、本実施例における表示装置３００の主要な構成要素を示すブロック図である。まず、図３のブロック図を用いて、本実施例における表示装置３００の構成について説明する。
本実施例の表示装置３００は、送信方法選択部３０１、映像信号選択部３０２、映像遅延判断部３０３を有する。映像受信部１０１ａ〜１０１ｂ、映像生成部１０２ａ〜１０２ｂ、画像処理部１０３ａ〜１０３ｂ、映像信号生成部１０４、映像送信部１０５、処理時間算出部１０７、映像選択部１０８、表示部１０９の動作は、実施例１（図１）と同じである。
【００３９】
送信方法選択部３０１は、画像処理後の映像信号を送信するモードと、画像処理前の映像信号を送信（スルーアウト）するモードのうちから、送信モードを選択する。送信方法選択部３０１は、選択結果を、映像信号選択部３０２及び映像遅延判断部３０３へ出力する。本実施例では、送信モードの選択方法は、ユーザのボタン操作よる選択とする。なお、上述した選択方法は一例であり、選択方法は結果が一意に決まる方法であればよく、本発明の範囲はこれに限定されることはない。
【００４０】
映像信号選択部３０２は、送信方法選択部３０１にて選択された送信モードに従って、映像送信部１０５に入力される信号を切り替える。画像処理後の映像信号を送信するモードのときは、画像処理部１０３ａから出力された第一の映像データを基に映像信号生成部１０４で生成された第一の出力映像信号が、映像送信部１０５に入力される。一方、画像処理前の映像信号を送信するモードのときは、映像受信部１０１ａから出力される第一の入力映像信号がそのまま映像送信部１０５に入力される。
【００４１】
映像遅延判断部３０３は、映像送信部１０５からの出力確認通知と、映像受信部１０１ｂからの入力確認通知と、送信方法選択部３０１からの選択結果とに基づいて、第一の映像データの表示の遅延処理を行うか否かを判断する。具体的には、映像送信部１０５から画像処理後の映像信号が外部機器に送信されており、かつ、映像受信部１０１ｂに映像信号が入力されていない場合にのみ、第一の映像データの表示を遅延させる。実施例１との違いは、スルーアウトモードのときは遅延処理をオフにする点である。
【００４２】
（表示装置の動作）
次に、図４のフローチャートを用いて本実施例における表示装置３００の処理概要を説明する。なお、実施例１の説明と同じ所は説明を省略し、差違のみを説明する。
【００４３】
送信方法選択部３０１が、送信モードの選択画面を表示部１０９に表示する。ユーザはリモコンなどのボタンを操作することにより、スルーアウト機能による第一の入力映像信号の送信か、画像処理後の第一の出力映像信号の送信かの選択を行う（ステップＳ４００）。送信モードが選択されると、送信方法選択部３０１が選択結果を映像信号選択部３０２と映像遅延判断部３０３に通知する。
ステップＳ２００〜Ｓ２０４のフローは実施例１（図２）と同じであり、説明を省略す
る。
【００４４】
スルーアウト機能による第一の入力映像信号の送信が選択されている場合には、映像信号選択部３０２は、第一の入力映像信号を映像送信部１０５へ出力する（ステップＳ４０１；Ｙｅｓ）。映像送信部１０５は、第一の入力映像信号を、外部機器へと送信し（ステップＳ４０２）、ステップＳ２１５へ進む。ステップＳ２１５以降のフローは実施例１と同じであり、説明を省略する。
一方、画像処理後の第一の出力映像信号の送信が選択されている場合には、映像信号選択部３０２は、第一の出力映像信号を映像送信部１０５へ出力し（ステップＳ４０１；Ｎｏ）、ステップＳ２０５へ進む。ステップＳ２０５以降のフローは実施例１と同じであり、説明を省略する。
【００４５】
以上述べた本実施例の構成によれば、画像処理後の映像信号を送信するモードの場合に、実施例１と同様の作用効果を奏することができる。また、スルーアウト機能による送信モードの場合は、遅延処理が自動的にオフとなる。したがって、本表示装置３００で画像処理を適用した第一の映像データを（遅延なしで）表示するタイミングと、スルーアウト信号を受信した後段の機器が画像処理を行って映像データを表示するタイミングとがほぼ一致する。すなわち、本実施例の表示装置は、用途に応じて画像処理後の映像信号とスルーアウト信号のいずれを出力するかを選択できるとともに、いずれの出力を選択した場合でも後段の機器との表示タイミングのズレを抑えることができる、という利便性を有する。
【００４６】
＜実施例３＞
（表示装置の構成）
以下、本発明における表示装置の実施例３について図面を用いて説明する。実施例１の表示装置は、画像処理部１０３ａから出力された第一の映像データに基づく映像信号を送信する機能しかもたなかったのに対し、実施例３の表示装置は、画像処理部１０３ｂから出力された第二の映像データに基づく映像信号を送信する機能をもつ。本実施例では、第一の映像データに遅延処理を適用した場合には、第二の映像データに基づく映像信号を外部機器に送信しないよう制御する。以下では、実施例１の説明と同じ所は説明を省略し、差違のみを説明する。
【００４７】
図５は、本実施例における表示装置５００の主要な構成要素を示すブロック図である。まず、図５のブロック図を用いて、本実施例における表示装置５００の構成について説明する。
【００４８】
本実施例の表示装置５００は、映像遅延判断部５０１、映像信号生成部５０２、映像送信部５０３を有する。映像信号生成部５０２と映像送信部５０３は、第二の映像入力回路により処理された第二の映像データに基づく映像信号（第二の出力映像信号）を出力するための第二の映像出力回路を構成する。映像受信部１０１ａ〜１０１ｂ、映像生成部１０２ａ〜１０２ｂ、画像処理部１０３ａ〜１０３ｂ、映像信号生成部１０４、映像送信部１０５、処理時間算出部１０７、映像選択部１０８、表示部１０９の動作は、実施例１（図１）と同じである。
【００４９】
映像遅延判断部５０１は、画像処理部１０３ａにより画像処理が適用された第一の映像データの表示を遅延させるか否かを判断する。遅延させるか否かの判断ロジックは、実施例１、２と同じでよい。映像遅延判断部５０１は、遅延処理を行う場合、画像処理部１０３ａから出力される第一の映像データを画像処理部１０３ｂに入力し、映像遅延通知を映像選択部１０８と映像送信部５０３へ出力する。
【００５０】
映像信号生成部５０２は、画像処理部１０３ｂにて画像処理を適用した第二の映像データにアンシラリ情報を付加して、ＳＤＩ規格に準じた第二の出力映像信号を生成し、映像送信部５０３に出力する。映像送信部５０３は、映像信号生成部５０２にて生成されたＳＤＩ規格に準じた第二の出力映像信号を、外部機器へと送信する。ただし、映像送信部５０３は、映像遅延判断部５０１から映像遅延通知を受信している間は、第二の出力映像信号を外部機器へ送信しない。
【００５１】
（表示装置の動作）
次に、図６のフローチャートを用いて本実施例における表示装置５００の処理概要を説明する。なお、実施例１の説明と同じ所は説明を省略し、差違のみを説明する。
【００５２】
ステップＳ２００〜Ｓ２０５のフローは実施例１（図２）と同じであり、説明を省略する。
映像受信部１０１ｂが第二の入力映像信号を受信している場合（ステップＳ２０６；Ｙｅｓ、ステップＳ２１５；Ｙｅｓ）、映像生成部１０２ｂは、第二の入力映像信号から映像データを生成する（ステップＳ２０７）。画像処理部１０３ｂは、第二の入力映像信号から生成された映像データに画像処理を適用し、第二の映像データを出力する（ステップＳ２０８）。映像信号生成部５０２は、画像処理を適用した第二の映像データからＳＤＩ規格に準じた第二の出力映像信号を生成する（ステップＳ６００）。映像送信部５０３は、第二の出力映像信号を外部機器へと送信し（ステップＳ６０１）、ステップＳ２０９に進む。ステップＳ２０９〜Ｓ２１０のフローは実施例１と同じであり、説明を省略する。
【００５３】
第一の出力映像信号が外部機器へ送信され（ステップＳ２０５；Ｙｅｓ）、かつ、映像受信部１０１ｂが第二の入力映像信号を受信していない場合（ステップＳ２０６；Ｎｏ）、第一の映像データの遅延処理を実行する。すなわち、映像遅延判断部５０１が、画像処理部１０３ａから出力された第一の映像データを画像処理部１０３ｂに入力する（ステップＳ６０２）。このとき、映像遅延判断部５０１は、映像遅延通知を映像送信部５０３へ出力する。これにより、画像処理部１０３ｂから出力される第二の映像データ（第一の映像データを遅延させたデータ）が映像送信部５０３を介して外部機器に送信されることが防止される。以降のステップＳ２１２〜Ｓ２１４のフローは実施例１と同じである。
【００５４】
ステップＳ２００にて第一の入力映像信号が受信されておらず、かつ、映像受信部１０１ｂが第二の入力映像信号を受信している場合（ステップＳ２１８；Ｙｅｓ）、映像生成部１０２ｂが第二の入力映像信号から映像データを生成する（ステップＳ２１９）。そして、画像処理部１０３ｂが第二の画像処理を適用した第二の映像データを生成して（ステップＳ２２０）、ステップＳ６０３に進む。映像信号生成部５０２は、画像処理を適用した第二の映像データからＳＤＩ規格に準じた第二の出力映像信号を生成する（ステップＳ６０３）。映像送信部５０３は、第二の出力映像信号を外部機器へと送信し（ステップＳ６０４）、ステップＳ２１３に進む。上記以外のフローは実施例１と同じであり、説明を省略する。
【００５５】
以上述べた本実施例の構成によれば、実施例１と同様の作用効果を奏することができる。また、本実施例の構成によれば、画像処理部１０３ｂを遅延処理部として利用している場合に、画像処理部１０３ｂから出力される遅延後の映像データが誤って外部機器に送信されることを防ぐことができる。なお、上述した実施例２の構成（送信方法選択部、映像信号選択部）を実施例３の構成に組み合わせてもよい。
【００５６】
＜実施例４＞
以下、本発明における表示装置の実施例４について図面を用いて説明する。実施例１〜実施例３では、２台以上の表示装置を接続し、同じ映像信号に基づく画像を複数の表示装
置で同時に表示する形態を想定していた。これに対し、実施例４では、表示装置から出力される映像信号を同じ表示装置の入力端子にループバックし、第一の映像入力回路の映像と第二の映像入力回路の映像とを１つの表示装置にマルチ画面表示する形態を想定する。このような形態では、第一の映像入力回路の映像に比べ、第二の映像入力回路の映像の方が、第二の映像入力回路での第二の画像処理の時間分だけ遅延するため、例えば動画像をマルチ画面表示した場合などに映像間の表示タイミングのズレが問題となる。
【００５７】
図７は、本実施例における表示装置７００の主要な構成要素を示すブロック図である。まず、図７のブロック図を用いて、本実施例における表示装置７００の構成について説明する。
【００５８】
本実施例の表示装置７００は、映像検知部７０１、映像遅延部７０２、処理時間算出部７０３を有する。映像受信部１０１ａ〜１０１ｂ、映像生成部１０２ａ〜１０２ｂ、画像処理部１０３ａ〜１０３ｂ、映像信号生成部１０４、映像送信部１０５、表示部１０９の動作は、実施例１（図１）と同じである。図示しないが、映像送信部１０５から出力される映像信号をループバックさせる場合には、映像送信部１０５の出力端子と映像受信部１０１ｂの入力端子の間をＳＤＩケーブルで接続すればよい。
【００５９】
本実施例の表示装置７００は、２系統の映像入力回路を有しており、映像受信部１０１ａ、１０１ｂに入力された映像信号には画像処理部１０３ａ、１０３ｂでそれぞれ別の画像処理が適用された後、表示部１０９にマルチ画面表示される。映像受信部１０１ａで受信した第一の入力映像信号と映像受信部１０１ｂで受信した第二の入力映像信号とが、別々の映像ソースからの信号であれば、２つの映像信号の表示タイミングは特に気にする必要はない。しかしながら、ループバックにより同一の映像信号をマルチ画面表示する場合には、映像間の表示タイミングを合わせるために、先行する映像信号の表示を遅延させる必要がある。そこで本実施例では、映像受信部１０１ｂで受信した第二の入力映像信号がループバック信号か否かを判定し、その判定結果に応じて遅延制御を行う。このような遅延制御に関わる構成が、映像検知部７０１、映像遅延部７０２、処理時間算出部７０３である。
【００６０】
映像検知部７０１は、ループバック信号が入力されているか否かを判定する。本実施例では、映像検知部７０１は、映像信号生成部１０４にて生成された第一の出力映像信号のアンシラリ情報と、映像受信部１０１ｂにて受信した第二の入力映像信号のアンシラリ情報を比較する。比較結果が同一である場合に、映像検知部７０１は、第二の入力映像信号が第一の出力映像信号のループバックであると判定し、映像遅延部７０２に検知結果を通知する。比較するアンシラリ情報の一例として、映像ソース（映像信号を出力した外部機器）の機器情報を示すメタデータがある。機器情報は、例えば図８に示すように、機種名、シリアルＮｏ、出力端子ＩＤといった情報から構成される。本実施例においては、機器情報がＳＤＩ映像信号のアンシラリデータ領域に格納されているものとする。機種名には、映像信号を出力した機器の機種名が格納される。シリアルＮｏには、映像信号を出力した機器のシリアルＮｏが格納される。出力端子ＩＤには、映像信号を出力した機器のどの出力端子から出力された映像信号であるかを示す情報が格納される。なお、上述した方法は一例であり、比較するアンシラリ情報は同一の映像ソースからの映像信号か異なる映像ソースからの映像信号かを判別可能な情報であればよく、本発明の範囲はこれに限定されることはない。
【００６１】
処理時間算出部７０３は、画像処理部１０３ｂにて適用した第二の画像処理の処理時間を算出し、映像遅延部７０２に処理時間を通知する。処理時間の算出方法の一例として、画像処理部１０３ｂで実行可能な画像処理ごとに必要な処理時間をあらかじめメモリに記憶しておき、第二の映像データに実際に適用された画像処理に応じて処理時間を計算する
方法がある。あるいは、画像処理部１０３ｂにおいて実際に画像処理を適用するのにかかった時間を計測する方法、適用した画像処理と処理時間をリスト化する方法などがある。上述した方法は一例であり、本発明の範囲はこれに限定されることはない。
【００６２】
映像遅延部７０２は、画像処理部１０３ａと表示部１０９の間に配置された遅延処理部（遅延回路）である。映像遅延部７０２は、映像検知部７０１にて第二の入力映像信号が第一の出力映像信号と同じ信号であると判定された場合に、第一の映像データに、処理時間算出部７０３から通知された時間分の遅延処理を適用し、表示部１０９に第一の映像データを出力する。映像検知部７０１にて第二の入力映像信号が第一の出力映像信号と同じ信号でないと判定された場合には、第一の映像データに遅延処理は適用されない。遅延処理の一例として、フレームバッファを用いる方法がある。
【００６３】
（表示装置の動作）
次に、図９のフローチャートを用いて本実施例における表示装置７００の処理概要を説明する。なお、実施例１の説明と同じ所は詳しい説明を省略する。
【００６４】
ステップＳ２００〜Ｓ２０２のフローは実施例１（図２）と同じである。映像信号生成部１０４は、画像処理部１０３ａから出力された第一の映像データからＳＤＩ規格に準じた第一の出力映像信号を生成する（ステップＳ９００）。このとき、映像信号生成部１０４は、第一の入力映像信号の映像ソースの機器情報をアンシラリ情報として第一の出力映像信号に付加する。映像検知部７０１は、第一の出力映像信号のアンシラリ情報を取得する（ステップＳ１５０１）。映像送信部１０５は、第一の出力映像信号を、外部機器へと送信する（ステップＳ９０２）。
【００６５】
映像受信部１０１ｂが第二の入力映像信号を受信している場合（ステップＳ９０３；Ｙｅｓ）、ステップＳ９０４へ進み、第二の入力映像信号を受信していない場合（ステップＳ９０３；Ｎｏ）、ステップＳ２１６へ進む。ステップＳ９０４では、映像検知部７０１が第二の入力映像信号のアンシラリ情報を取得する。映像生成部１０２ｂは、第二の入力映像信号から映像データを生成する（ステップＳ２０７）。画像処理部１０３ｂは、第二の入力映像信号から生成された映像データに画像処理を適用し、第二の映像データを出力する（ステップＳ２０８）。処理時間算出部７０３は、第二の映像データに適用された画像処理の処理時間を算出する（ステップＳ９０５）。
【００６６】
映像検知部７０１は、ステップＳ９０１で取得した第一の出力映像信号のアンシラリ情報と、ステップＳ９０４で取得した第二の入力映像信号のアンシラリ情報を比較する（ステップＳ９０６）。比較結果が一致した場合（ステップＳ９０６；Ｙｅｓ）、映像遅延部７０２は、処理時間算出部７０３で算出された時間分の遅延処理を、画像処理部１０３ａから出力される第一の映像データに適用する（ステップＳ９０７）。ループバックの場合、第二の映像データは画像処理部１０３ｂでの画像処理の時間だけ第一の映像データに比べて遅れているが、映像遅延部７０２で第一の映像データを遅延させることで、２つの映像データの同期をとることができる。表示部１０９は、第一の映像データと第二の映像データを合成し、マルチ画面表示する（ステップＳ９０８）。これにより、ループバックの場合でも、表示タイミングのズレを抑制したマルチ画面表示が実現できる。一方、映像検知部７０１にて、比較結果が一致しなかった場合（ステップＳ９０６；Ｎｏ）、映像遅延部７０２は、第一の映像データに遅延処理を適用せず（ステップＳ９０９）、ステップＳ９０８に進む。
【００６７】
以上述べた本実施例の構成によれば、第一の映像データの表示を遅延させることにより、ループバックした映像信号をマルチ画面表示した場合の映像間の表示タイミングのズレを抑制することができる。また本実施例では、映像信号に付加された付加情報（例えばア
ンシラリ情報）を参照して、第二の入力映像信号がループバックされた信号か否かを判断するようにしたので、遅延処理の要否を簡易に判断することができる。
【００６８】
＜実施例５＞
以下、本発明における表示装置の実施例５について図面を用いて説明する。本実施例では、画像処理を適用した映像信号を送信する際に、自機の映像信号であることを識別可能な特定のデータを追加することで、受信した映像信号がループバックされた自機の映像信号であることをより容易に検知する方法について説明する。なお、実施例４の説明と同じ所は説明を省略し、差違のみを説明する。
【００６９】
図１０は、本実施例における表示装置１０００の主要な構成要素を示すブロック図である。まず、図１０のブロック図を用いて、本実施例における表示装置１０００の構成について説明する。
【００７０】
本実施例の表示装置１０００は、アンシラリデータ追加部１００１、映像検知部１００２を有する。映像受信部１０１ａ〜１０１ｂ、映像生成部１０２ａ〜１０２ｂ、画像処理部１０３ａ〜１０３ｂ、映像信号生成部１０４、映像送信部１０５、映像遅延部７０２、処理時間算出部７０３、表示部１０９は、実施例４（図７）と同じである。
【００７１】
アンシラリデータ追加部１００１は、映像信号生成部１０４にて生成された第一の出力映像信号に特定のデータを追加し、映像送信部１０５へと出力する。追加するデータの一例として、ＳＤＩ規格で定義されるアンシラリ領域にメタデータを追加する方法がある。追加するメタデータの一例として、自機の機器情報がある。自機の機器情報とは、図１１に示すように、機種名、シリアルＮｏ、出力端子ＩＤといった情報から構成される。機種名には、表示装置１０００の機種名が格納される。シリアルＮｏには、表示装置１０００のシリアルＮｏが格納される。出力端子ＩＤには、表示装置１０００の映像送信部１０５の出力端子を示す情報が格納される。なお、上述した方法は一例であり、追加するデータは自機が画像処理後に出力した映像信号であることを示す情報であればよい。
【００７２】
映像検知部１００２は、映像受信部１０１ｂで受信した第二の入力映像信号のアンシラリ情報に、アンシラリデータ追加部１００１によって追加された特定のデータが含まれているか確認する。特定のデータが含まれている場合に、映像検知部１００２は、第二の入力映像信号が第一の出力映像信号と同じ信号であると判定し、映像遅延部７０２に判定結果を通知する。
【００７３】
（表示装置の動作）
次に、図１２のフローチャートを用いて本実施例における表示装置１０００の処理概要を説明する。なお、実施例１、４の説明と同じ所は詳しい説明を省略する。
【００７４】
ステップＳ２００〜Ｓ２０２のフローは実施例１（図２）と同じである。映像信号生成部１０４は、画像処理部１０３ａから出力された第一の映像データからＳＤＩ規格に準じた第一の出力映像信号を生成する（ステップＳ１２００）。アンシラリデータ追加部１００１は、第一の出力映像信号のアンシラリ情報に特定のデータ（表示装置１０００の機器情報など）を付加する（ステップＳ１２０１）。それ以降のステップＳ９０２〜Ｓ１５０５のフローは実施例４と同じである。
【００７５】
映像検知部１００２は、第二の入力映像信号のアンシラリ情報に特定のデータが含まれているか確認する（ステップＳ１２０２）。特定のデータが含まれている場合（ステップＳ１２０２；Ｙｅｓ）、映像遅延部７０２は、処理時間算出部７０３で算出された時間分の遅延処理を、画像処理部１０３ａから出力される第一の映像データに適用する（ステッ
プＳ９０７）。一方、特定のデータが含まれていなかった場合（ステップＳ１２０２；Ｎｏ）、映像遅延部７０２は、第一の映像データに遅延処理を適用しない（ステップＳ９０９）。それ以降のフローは実施例４と同じである。
【００７６】
以上述べた本実施例の構成によれば、実施例４と同様の作用効果を奏することができる。また本実施例では、画像処理を適用した映像信号を送信する際に、アンシラリ情報に特定のデータを追加することで、第二の入力映像信号がループバックされた信号か否かをより簡易にかつ正確に判断することができる。
【００７７】
＜実施例６＞
以下、本発明における表示装置の実施例６について図面を用いて説明する。本実施例では、画像処理を適用した映像信号を送信する際に、映像信号に特定のテストパターンを追加することで、受信した映像信号がループバックされた自機の映像信号であることをより容易に検知する方法について説明する。なお、実施例４、５の説明と同じ所は説明を省略し、差違のみを説明する。
【００７８】
図１３は、本実施例における表示装置１３００の主要な構成要素を示すブロック図である。まず、図１３のブロック図を用いて、本実施例における表示装置１３００の構成について説明する。
【００７９】
本実施例の表示装置１３００は、テストパターン追加部１３０１と映像検知部１３０２を有する。映像受信部１０１ａ〜１０１ｂ、映像生成部１０２ａ〜１０２ｂ、画像処理部１０３ａ〜１０３ｂ、映像信号生成部１０４、映像送信部１０５、映像遅延部７０２、処理時間算出部７０３、表示部１０９は、実施例４（図７）と同じである。
【００８０】
テストパターン追加部１３０１は、画像処理部１０３ａで画像処理を適用した第一の映像データに特定のテストパターンを追加し、映像信号生成部１０４へ出力する。追加するテストパターンの一例として、隣接する画素毎に白と黒の画素値が連続する画像を一定フレーム毎に第一の映像データに追加する。なお、上述した方法は一例であり、追加するテストパターンは通常のユースケースで表示しないような映像であればよく、本発明の範囲はこれに限定されることはない。
【００８１】
映像検知部１３０２は、映像生成部１０２ｂで生成した第二の映像データに、テストパターン追加部１３０１により追加された特定のテストパターンが含まれているか確認する。特定のテストパターンが含まれている場合に、映像検知部１３０２は、第二の入力映像信号が第一の出力映像信号と同じ信号であると判定し、映像遅延部７０２に判定結果を通知する。
【００８２】
（表示装置の動作）
次に、図１４のフローチャートを用いて本実施例における表示装置１３００の処理概要を説明する。なお、実施例１、４の説明と同じ所は詳しい説明を省略する。
【００８３】
ステップＳ２００〜Ｓ２０２のフローは実施例１（図２）と同じである。テストパターン追加部１３０１は、画像処理部１０３ａで画像処理を適用した第一の映像データに対し、特定のテストパターンを追加する（ステップＳ１４００）。それ以降のステップＳ９００〜Ｓ１５０５のフローは実施例４と同じである。
【００８４】
映像検知部１３０２は、第二の映像データに特定のテストパターンが含まれているか確認する（ステップＳ１４０１）。特定のテストパターンが含まれている場合（ステップＳ１４０１；Ｙｅｓ）、映像遅延部７０２は、処理時間算出部７０３で算出された時間分の
遅延処理を、画像処理部１０３ａから出力される第一の映像データに適用する（ステップＳ９０７）。一方、特定のテストパターンが含まれていなかった場合（ステップＳ１４０１；Ｎｏ）、映像遅延部７０２は、第一の映像データに遅延処理を適用しない（ステップＳ９０９）。それ以降のフローは実施例４と同じである。
【００８５】
以上述べた本実施例の構成によれば、実施例４と同様の作用効果を奏することができる。また本実施例では、画像処理を適用した映像信号を送信する際に、映像信号に特定のテストパターンを追加することで、第二の入力映像信号がループバックされた信号か否かをより簡易にかつ正確に判断することができる。
【００８６】
＜実施例７＞
以下、本発明における表示装置の実施例７について図面を用いて説明する。実施例５の表示装置は、画像処理後の映像信号を出力する機能しかもたなかったのに対し、実施例７の表示装置は、画像処理後の映像信号を出力するモードと、画像処理前の映像信号をそのまま出力するモード（スルーアウト機能）とを選択可能である。本実施例では、画像処理後の映像信号を出力するモードが選択されている場合に、実施例５と同じ遅延制御が行われる。以下では、前述した実施例の説明と同じ所は詳しい説明を省略する。
【００８７】
図１５は、本実施例における表示装置１５００の主要な構成要素を示すブロック図である。まず、図１５のブロック図を用いて、本実施例における表示装置１５００の構成について説明する。
【００８８】
本実施例の表示装置１５００は、送信方法選択部１５０１、映像信号選択部１５０２、アンシラリデータ追加部１５０３、処理時間算出部１５０４、映像検知部１５０５、遅延映像判断部１５０６、映像遅延部１５０７を有する。映像受信部１０１ａ〜１０１ｂ、映像生成部１０２ａ〜１０２ｂ、画像処理部１０３ａ〜１０３ｂ、映像信号生成部１０４、映像送信部１０５、映像遅延部７０２、処理時間算出部７０３、表示部１０９は、実施例５（図１０）と同じである。
【００８９】
送信方法選択部１５０１は、画像処理後の映像信号を送信するモードと、画像処理前の映像信号を送信（スルーアウト）するモードのうちから、送信モードを選択する。送信方法選択部１５０１は、選択結果を、映像信号選択部１５０２及びアンシラリデータ追加部１５０３へ出力する。本実施例では、送信モードの選択方法は、ユーザのボタン操作よる選択とする。なお、上述した選択方法は一例であり、選択方法は結果が一意に決まる方法であればよく、本発明の範囲はこれに限定されることはない。
【００９０】
映像信号選択部１５０２は、送信方法選択部１５０１にて選択された送信モードに従って、アンシラリデータ追加部１５０３に入力される信号を切り替える。画像処理後の映像信号を送信するモードのときは、画像処理部１０３ａから出力された第一の映像データを基に映像信号生成部１０４で生成された第一の出力映像信号が、アンシラリデータ追加部１５０３に入力される。一方、画像処理前の映像信号を送信するモードのときは、映像受信部１０１ａから出力される第一の入力映像信号がそのままアンシラリデータ追加部１５０３に入力される。
【００９１】
アンシラリデータ追加部１５０３は、映像信号選択部１５０２にて選択された映像信号に、送信方法選択部１５０１での選択結果に応じて特定のデータを追加し、映像送信部１０５へと出力する。追加するデータの一例として、ＳＤＩ規格で定義されるアンシラリ領域にメタデータを追加する方法がある。追加するメタデータの一例として、自機の機器情報がある。自機の機器情報は、図１６に示すように、機種名、シリアルＮｏ、出力端子ＩＤ、画像処理適用情報といった情報から構成される。機種名には、表示装置１５００の機
種名が格納される。シリアルＮｏには、表示装置１５００のシリアルＮｏが格納される。出力端子ＩＤには、表示装置１５００の映像送信部１０５の出力端子を示す情報が格納される。画像処理適用情報には、送信方法選択部１５０１での選択結果が、画像処理前の映像信号を送信（スルーアウト）するモードの場合には「０」、画像処理後の映像信号を送信するモードの場合には「１」が格納される。なお、上述した方法は一例であり、追加するデータは、スルーアウト信号の送信か、画像処理後の映像信号の送信かを判断できる情報であればよく、本発明の範囲はこれに限定されることはない。
【００９２】
処理時間算出部１５０４は、画像処理部１０３ａにて適用した第一の画像処理の処理時間を算出し、遅延映像判断部１５０６に処理時間を通知する。
映像検知部１５０５は、映像受信部１０１ｂで受信した第二の入力映像信号のアンシラリ情報に、アンシラリデータ追加部１５０３によって追加された特定のデータが含まれているか確認する。特定のデータが含まれている場合、映像検知部１５０５はデータを解析し、自機のスルーアウト機能により送信された映像信号もしくは画像処理後に送信された映像信号のうち、どちらを受信したかを遅延映像判断部１５０６に通知する。
【００９３】
遅延映像判断部１５０６は、映像検知部１５０５の通知結果に基づき、映像を遅延させるか否かを決定する。この際、遅延させる映像と遅延量は、映像検知部１５０５の通知結果と、処理時間算出部１５０４にて算出された処理時間Ｔａと、処理時間算出部７０３にて算出された処理時間Ｔｂにより決定する。Ｔａは、第一の映像データに適用された第一の画像処理の処理時間であり、Ｔｂは、第二の映像データに適用された第二の画像処理の処理時間である。
【００９４】
映像検知部１５０５にてスルーアウト機能により送信された映像信号を受信したと検知した場合、ＴａとＴｂの差分が遅延量として決定される。Ｔａ＞Ｔｂならば第二の映像データを遅延させるよう、遅延映像判断部１５０６は、映像遅延部１５０７に遅延量（Ｔａ−Ｔｂ）を通知する。Ｔｂ＞Ｔａならば第一の映像データを遅延させるよう、遅延映像判断部１５０６は、映像遅延部７０２に遅延量（Ｔｂ−Ｔａ）を通知する。Ｔａ＝Ｔｂならば、遅延映像判断部１５０６は、遅延差が発生していないと判断し、映像遅延部１５０７、映像遅延部７０２に遅延量を通知しない。
映像検知部１５０５にて画像処理後に送信された映像信号を受信したと検知した場合、第一の映像データを遅延するよう、遅延映像判断部１５０６は、映像遅延部７０２に処理時間算出部７０３にて算出された処理時間Ｔｂを通知する。
映像遅延部１５０７は、第二の映像データに、遅延映像判断部１５０６から通知された時間分の遅延処理を適用し、表示部１０９に第二の映像データを出力する。
【００９５】
（表示装置の動作）
次に、図１７のフローチャートを用いて本実施例における表示装置１５００の処理概要を説明する。なお、実施例５の説明と同じ所は説明を省略する。
【００９６】
送信方法選択部１５０１が、送信モードの選択画面を表示部１０９に表示する。ユーザはリモコンなどのボタンを操作することにより、スルーアウト機能による第一の入力映像信号の送信か、画像処理後の第一の出力映像信号の送信かの選択を行う（ステップＳ１７００）。送信モードが選択されると、送信方法選択部１５０１が選択結果を映像信号選択部１５０２とアンシラリデータ追加部１５０３に通知する。
【００９７】
ステップＳ２００〜Ｓ２０２のフローは実施例５と同じである。処理時間算出部１５０４は、第一の映像データに適用された第一の画像処理の処理時間を算出する（ステップＳ１７０１）。映像信号生成部１０４は、画像処理部１０３ａから出力された第一の映像データからＳＤＩ規格に準じた第一の出力映像信号を生成する（ステップＳ９００）。
【００９８】
スルーアウト機能による第一の入力映像信号の送信が選択されている場合には、映像信号選択部１５０２は、第一の入力映像信号をアンシラリデータ追加部１５０３へ出力する（ステップＳ１７０２；Ｙｅｓ）。アンシラリデータ追加部１５０３は、第一の入力映像信号にスルーアウト機能による送信を示す特定のデータを追加する（ステップＳ１７０３）。映像送信部１０５は、第一の入力映像信号を、外部機器へと送信する（ステップＳ１７０４）。
【００９９】
一方、画像処理後の第一の出力映像信号の送信が選択されている場合には、映像信号選択部１５０２は、第一の出力映像信号をアンシラリデータ追加部１５０３に出力する（ステップＳ１７０２；Ｎｏ）。アンシラリデータ追加部１５０３は、第一の出力映像信号に画像処理後の送信を示す特定のデータを追加し（ステップＳ１７０５）、ステップＳ９０２に進む。ステップＳ９０３〜Ｓ９０５のフローは実施例５と同じである。
【０１００】
映像検知部１５０５にて、第二の入力映像信号のアンシラリ情報を解析し（ステップＳ１７０６）、スルーアウト機能により送信された映像信号であると判断した場合はステップＳ１７０７へ進む。また、画像処理後に送信された映像信号であると判断した場合はステップＳ９０７へ、特定のデータが含まれていない場合はステップＳ９０９へそれぞれ進む。
【０１０１】
遅延映像判断部１５０６は、処理時間算出部１５０４で算出された処理時間Ｔａと、処理時間算出部７０３で算出された処理時間Ｔｂとから遅延時間を算出し（ステップＳ１７０７）、Ｔａ＞Ｔｂの場合はステップＳ１７０８に進む。また、Ｔｂ＞Ｔａの場合はステップＳ１７１０へ、Ｔａ＝Ｔｂの場合はステップＳ１７１２へそれぞれ進む。
【０１０２】
Ｔａ＞Ｔｂの場合、映像遅延部７０２は、第一の映像データに遅延処理を適用せず（ステップＳ１７０８）、映像遅延部１５０７は、第二の映像データに遅延時間（Ｔａ−Ｔｂ）だけ遅延処理を適用する（ステップＳ１７０９）。
Ｔｂ＞Ｔａの場合、映像遅延部７０２は、第一の映像データに遅延時間（Ｔｂ−Ｔａ）だけ遅延処理を適用し（ステップＳ１７１０）、映像遅延部１５０７は、第二の映像データに遅延処理を適用しない（ステップＳ１７１１）。
Ｔａ＝Ｔｂの場合、映像遅延部７０２は、第一の映像データに遅延処理を適用せず（ステップＳ１７１２）、ステップＳ１７１１へ進む。
【０１０３】
それ以外のフローは実施例５と同じである。ただし、第一の入力映像信号が受信されておらず（ステップＳ２００；Ｎｏ）、かつ、第二の入力映像信号が受信されている場合（ステップＳ２１８；Ｙｅｓ）は、映像遅延部１５０７は、第二の映像データに遅延処理を適用しない（Ｓ１７１３）。
【０１０４】
以上述べた本実施例の構成によれば、画像処理後の映像信号を送信するモードの場合に、実施例５と同様の作用効果を奏することができる。また、スルーアウト機能による送信モードの場合は、第一の画像処理と第二の画像処理の間の処理時間を比べ、処理時間が長い方に合わせるように２つの映像データの表示タイミングを調整する。したがって、本実施例の表示装置は、用途に応じて画像処理後の映像信号とスルーアウト信号のいずれを出力するかを選択できるとともに、いずれの出力を選択した場合でも後段の機器との表示タイミングのズレを抑えることができる、という利便性を有する。
【０１０５】
（その他の実施例）
本発明は、上述の実施形態の１以上の機能を実現するプログラムを、ネットワーク又は記憶媒体を介してシステム又は装置に供給し、そのシステム又は装置のコンピュータにお
ける１つ以上のプロセッサーがプログラムを読出し実行する処理でも実現可能である。また、１以上の機能を実現する回路（例えば、ＡＳＩＣ）によっても実現可能である。
【符号の説明】
【０１０６】
１００、３００、５００、７００、１０００、１３００、１５００：表示装置
１０１ａ：映像受信部（第一の映像受信部）
１０３ａ：画像処理部（第一の画像処理部）
１０５：映像送信部
１０９：表示部
１０３ｂ：画像処理部（遅延処理部、第二の画像処理部）
７０２：映像遅延部（遅延処理部）
【図１】
2019062364.tif 000003
【図２】
2019062364.tif 000004
【図３】
2019062364.tif 000005
【図４】
2019062364.tif 000006
【図５】
2019062364.tif 000007
【図６】
2019062364.tif 000008
【図７】
2019062364.tif 000009
【図８】
2019062364.tif 000010
【図９】
2019062364.tif 000011
【図１０】
2019062364.tif 000012
【図１１】
2019062364.tif 000013
【図１２】
2019062364.tif 000014
【図１３】
2019062364.tif 000015
【図１４】
2019062364.tif 000016
【図１５】
2019062364.tif 000017
【図１６】
2019062364.tif 000018
【図１７】
2019062364.tif 000019
【図１８】
2019062364.tif 000020